(57)【要約】軸受ユニットは、内輪手段（１２、１３）および外輪手段（６）を有する複列円錐ころ軸受（１）を含み、前記内輪手段は、二つの対向する取付面（７、１０）の間の車軸スタブ（５）に嵌合されており、前記取付面の少なくとも一つと内輪手段の間に、フレッチング腐蝕を防止するための手段が設けられている。少なくとも一つの取付面と内輪手段は、重合体支持輪（１９）により、互いに他に係合する。本軸受ユニットは、鉄道用車軸箱の軸受ユニットとして使用可能である。【選択図】図１１
2004500518.tif 000002
【特許請求の範囲】
【請求項１】
内輪手段（５）および外輪手段（６）を有する転がり軸受（１）を含み、前記内輪手段（５）は、二つの対向する取付面の間の車軸スタブ（２）に嵌合されており、前記取付面の少なくとも一つと内輪手段（５）の間に、フレッチング腐蝕を防止するための手段が設けられている軸受ユニットにおいて、前記少なくとも一つの取付面と内輪手段（５）は、非金属の重合体支持輪（１９、２４、３２、３８、５０、５１）により、互いに他に係合することを特徴とする軸受ユニット。
【請求項２】
内輪手段（５）は、スタブ（２）の肩部（７）と前記スタブ（２）にボルト止めされるエンドブラケット（１０）の間に嵌合され、前記内輪手段（５）は、バックアップ輪（８）により、該肩部（７）に係合し、前記バックアップ輪（８）は、非金属の支持輪（１９、２４、３２、３８）により、内輪手段（３）に係合することとする請求項１に記載の軸受ユニット。
【請求項３】
内輪手段（５）は、非金属の支持輪（５１）により、エンドブラケット（１０）に係合することとする請求項１または２に記載の軸受ユニット。
【請求項４】
内輪手段（５）は、圧力輪（１０）により、エンドブラケット（１０）に係合し、前記圧力輪（９）は、非金属の支持輪（５１）により、内輪手段（５）に係合することとする上記の請求項のうちのいずれか一つに記載の軸受ユニット。
【請求項５】
内輪手段（５）は、間隔輪（１４）を囲む二つの内輪（１２、１３）を含み、前記間隔輪（１４）は、非金属の支持輪（５０）により、内輪のうちの少なくとも一つに係合することとする上記の請求項のうちのいずれか一つに記載の軸受ユニット。
【請求項６】
非金属の支持輪（１９、２４、３２、３８）は、ラビリンスリング部品（２０、２３）を含んで、外輪手段（６）に接続された別のラビリンスシール部品（２１、２６）とラビリンスシール（２２、２３）を形成することとする上記の請求項のうちのいずれか一つに記載の軸受ユニット。
【請求項７】
支持輪（１９、２４、３２、３８）は、軸受の回転を検知するためのセンサー手段を含むこととする上記の請求項のうちのいずれか一つに記載の軸受ユニット。
【請求項８】
支持輪は、グリース溜め（４５）の境界を定めることとする上記の請求項のうちのいずれか一つに記載の軸受ユニット。
【請求項９】
支持輪（３８、６０、７０、９０）は、内輪手段（５）に接続されることとする上記の請求項のうちのいずれか一つに記載の軸受ユニット。
【請求項１０】
支持輪（８０）は、バックアップ輪（８）に接続されることとする上記の請求項のうちのいずれか一つに記載の軸受ユニット。
【請求項１１】
支持輪は、圧力輪（９）に接続されることとする上記の請求項のうちのいずれか一つに記載の軸受ユニット。
【請求項１２】
支持輪は、間隔輪（１４）に接続されることとする上記の請求項のうちのいずれか一つに記載の軸受ユニット。
【請求項１３】
支持輪（３８、６０、９０）は、軸方向の延長部（３９、６１、９１）を含み、これは、内輪（１２）のくぼみ（４０、６２、９２）に係合することとする上記の請求項のうちのいずれか一つに記載の軸受ユニット。
【請求項１４】
支持輪（８０）は、半径方向の延長部（８１）を含み、これは、バックアップ輪（８）のくぼみ（８２）に係合することとする上記の請求項のうちのいずれか一つに記載の軸受ユニット。
【請求項１５】
支持輪は、半径方向の延長部を含み、これは、圧力輪のくぼみに係合することとする上記の請求項のうちのいずれか一つに記載の軸受ユニット。
【請求項１６】
くぼみ（６２、７２、８２、９２）は、アンダーカット溝（６３、７３、８３、９３）を含み、また、軸方向延長部（６１、７１、８１、９１）は、アンダーカット溝（６３、７３、８３、９３）にスナップ嵌めされる舌部（６４、７４、８４、９４）を含むこととする請求項１３、１４または１５に記載の軸受ユニット。
【請求項１７】
支持輪（９０）は、二つの対向する軸方向延長部（７１、９１）を有しており、それらのうち一方は、内輪（１２）に係合し、また、それらのうち他方は、バックアップ輪（８）に係合することとする請求項１３乃至１６のうちのいずれか一つに記載の軸受ユニット。
【請求項１８】
支持輪は、二つの対向する軸方向延長部を有しており、それらのうち一方は、内輪に係合し、また、それらのうち他方は、圧力輪に係合することとする請求項１３乃至１７のうちのいずれか一つに記載の軸受ユニット。
【請求項１９】
少なくとも一つのくぼみ（６２、８２、９２）は、内輪（１２）、バックアップ輪（８）および圧力輪（９）上に有ることとする請求項１３乃至１８のうちのいずれか一つに記載の軸受ユニット。
【請求項２０】
少なくとも一つのくぼみ（７２）は、内輪、バックアップ輪および圧力輪のうちの一つの外面上に有ることとする請求項１３乃至１９のうちのいずれか一つに記載の軸受ユニット。
【請求項２１】
少なくとも一つのくぼみ（４０、６２、７２、８２、９２）は、内輪、バックアップ輪および圧力輪のうちの一つの全円周に亘って伸長していることとする請求項１３乃至２０のうちのいずれか一つに記載の軸受ユニット。
【請求項２２】
少なくとも一つの軸方向延長部（３９、６１、７１、８１、９１）は、支持輪の円周方向に連続していることとする請求項２１に記載の軸受ユニット。
【請求項２３】
重合体の支持輪（３８）は、遷移等の補強材を含むこととする上記の請求項のうちのいずれか一つに記載の軸受ユニット。
【請求項２４】
補強材は、繊維材料の編成、製織あるいは不織層であることとする請求項２３に記載の軸受ユニット。
【請求項２５】
繊維は、ガラス繊維を含むこととする請求項２３または２４に記載の軸受ユニット。
【請求項２６】
支持輪は、重合体の材料を含むこととする上記の請求項のうちのいずれか一つに記載の軸受ユニット。
【請求項２７】
支持輪は、樹脂材料を含むこととする上記の請求項のうちのいずれか一つに記載の軸受ユニット。
【請求項２８】
軸受は、複列円錐ころ軸受であることとする上記の請求項のうちのいずれか一つに記載の軸受ユニット。
【請求項２９】
上記の請求項のうちのいずれか一つに記載の軸受ユニットを与えられ、該軸受ユニットは、内輪手段（５）および外輪手段（６）を有する転がり軸受（１）を含み、前記内輪手段（５）は、二つの対向する取付面の間の車軸スタブ（２）に嵌合されており、前記取付面の少なくとも一つと内輪手段（５）の間に、フレッチング腐蝕を防止するための手段が設けられている鉄道用車軸箱の軸受ユニットにおいて、前記少なくとも一つの取付面と内輪手段（５）は、非金属の支持輪（１９、２４、３２、３８、５０、５１）により、互いに他に係合することを特徴とする鉄道用車軸箱の軸受けユニット。
【発明の詳細な説明】
【０００１】
本発明は、内輪手段および外輪手段を有する転がり軸受を含み、前記内輪手段は、二つの対向する取付面の間の車軸スタブに嵌合されており、前記取付面の少なくとも一つと内輪手段の間に、フレッチング腐蝕を防止するための手段が設けられている軸受ユニットに関する。
【０００２】
この種の鉄道用車軸箱軸受ユニットは、ＪＰ−Ａ−９７２３４４以来、既知である。前記ユニットは、肩部とバックアップ輪の間に介在層を有しており、これは、前記部品の材料より柔らかい。介在層の目的は、フレッチング腐蝕の低減であるが、これは、一般に、列車軸受ユニットの使用中に生ずる変動荷重が原因である。
【０００３】
問題の層は、バックアップ輪に接着またはメッキしてよい。しかし、それには、特殊なバックアップ輪の製造が必要であり、したがって、このリングの使用の変通性は、限定される。
【０００４】
本発明の目的は、汎用性がより高い軸受ユニットにフレッチング腐蝕防止手段を設けることである。この目的は、少なくとも一つの取付面と内輪手段が、非金属の支持輪、望ましくは、重合体支持輪により、互いに他に係合することにより、成し遂げられる。
【０００５】
本発明による非金属の支持輪は、別個のエンジニアリングピースを構成しており、これは、問題の列車用軸受ユニットの標準部品、例えば、標準のバックアップ輪と併用可能である。
【０００６】
非金属の支持輪は、いくつかのやり方で適用してよい。一般に、内輪手段は、スタブの肩部と前記スタブにボルト止めされるエンドブラケットの間に嵌合され、前記内輪手段は、バックアップ輪により、該肩部に係合する。本発明によれば、バックアップ輪は、非金属の支持輪により、内輪手段に係合する。
【０００７】
さらに、内輪手段は、非金属の支持輪により、エンドブラケットに直接係合してよい。
【０００８】
また、内輪手段は、圧力輪により、エンドブラケットに間接的に係合してよく、前記圧力輪は、非金属の支持輪により、内輪手段に係合してよい。
【０００９】
軸受ユニット、特に、鉄道用車軸箱の軸受ユニットは、間隔輪を囲む二つの内輪を含む内輪手段を設けてよい。別の可能性によれば、前記リングは、非金属の支持輪により、内輪のうちの少なくとも一つに係合してよい。
【００１０】
支持輪は、別個のピースであるため、追加の機能を果たしてよい。例えば、支持輪は、ラビリンスリング部品を含んで、外輪に接続された別のラビリンスシール部品とラビリンスシールを形成してよい。
【００１１】
支持輪は、所要の封止機能を果たすよう、いかなる所望の形状を付与してもよい。また、軟質ゴム封止リップをラビリンスシールに成形して、内部軸受空間の気密度を完全にしてよい。
【００１２】
さらに、支持輪は、軸受の回転を検知するためのセンサー手段を含んでよい。前記センサーは、例えば、問題の車軸の温度、振動、回転数等を監視するのに使用してよい。
【００１３】
また、支持輪は、列車用軸受ユニットの長期潤滑を保証するため、グリース溜めとして使用してよい。
【００１４】
支持輪は、いくつかのやり方で固定してよく、例えば、締め付けにより予め取り付けてよい。この場合、支持輪と内輪手段は、溝・リブ接続により、互いに他に係合する。
【００１５】
さらに、支持輪は、バックアップ輪に、あるいは圧力輪に接続してよい。また、支持輪は、間隔輪に接続してよい。
【００１６】
支持輪は、いくつかのやり方で接続してよい。望ましくは、支持輪は、軸方向の延長部を含み、これは、内輪のあるいはバックアップ輪のくぼみに係合する。
【 ００１７】
くぼみは、アンダーカット溝を含んでよく、また、軸方向延長部は、アンダーカット溝にスナップ嵌めされる舌部を含んでよい。
【００１８】
さらに、支持輪は、内輪手段のくぼみに嵌まる管状延長部を有してよい。
【００１９】
本発明による軸受ユニットは、特に、鉄道用車軸箱の軸受ユニットに適している。この用途においては、鉄道用車輪と車輪箱の間の部域は、大きな荷重を受ける。使用中、曲げおよび半径方向の変位が生じ、その結果、内輪と鉄道用車輪の間に、対応する曲げおよび半径方向の運動が生じ、軌道運動が生じる。
【００２０】
さらに、この部域に、フレッチング誘導の腐蝕が生じる場合がある。
【００２１】
本発明によれば、これらの悪影響は、非金属の支持輪、特に、重合体の支持輪により、回避される。
【００２２】
軸受は、複列円筒または複列円錐ころ軸受でよい。また、玉軸受を使用してよい。
【００２３】
以下、図に示したいくつかの実施例を参照して、本発明をさらに説明する。
【００２４】
図１は、本発明による列車用軸受ユニットを、列車用車輪および車軸の一部と共に示す。
【００２５】
図２は、図１の拡大詳細図である。
【００２６】
図３〜１１は、列車用軸受ユニットの別の実施例を示す。
【００２７】
図１に示した列車用軸受ユニットは、車軸３の車軸スタブ２に嵌合された複列円錐ころ軸受１を含む。車軸３は、鉄道用車輪４も保持している。車軸３の他端には、複列円錐ころ軸受を有する同様の車軸スタブ、および鉄道用車輪が、取り付けられている。
【００２８】
複列円錐ころ軸受１は、車軸スタブ２にプレス嵌めされた内輪手段５、および鉄道用ボギー（図示せず）内の車軸箱の支持体に嵌合された外輪手段６を有している。
【００２９】
車軸スタブは、肩部７を有し、これは、バックアップ輪８により、内輪手段５に係合する。他端では、内輪手段５は、圧力輪９に係合し、これは、今度は、エンドキャップ１０およびボルト１１により、車軸スタブ２上の適所に維持される。
【００３０】
内輪手段５、バックアップ輪８および圧力輪９は、ボルト１１により、所要の軸方向圧縮力下に保持可能である。
【００３１】
図示の実施例における内輪手段５は、二つの内輪１２、１３から成り、これらは、間隔輪１４により、相互に支持されている。内輪１２、１３のそれぞれは、テーパ付き軌道を含む。
【００３２】
外輪手段６は、単一リングから成り、二つのテーパ付き軌道を有している。内輪１２、１３の軌道と外輪６の間には、２列の転動体１５、１６が、収容されている。これら列は、ケージ１７、１８により、離ればなれに保持されている。
【００３３】
外輪手段６は、鉄道用ボギーの（図示しない）車軸支持体に回動不能に保持されており、一方、内輪手段５は、車軸３と共に回動する。
【００３４】
車軸３は、車軸箱に対する鉄道車両上部構造の重量により、荷重を受ける。それにより、一方では、鉄道用車輪４に、また、他方では、車軸スタブ２に作用する力から生ずる垂直平面内の偶力が、発生し、内輪手段５、バックアップ輪８および圧力輪９が受ける圧縮力にバラツキが生じることになる。これらの変動の結果として、圧縮力および剪断応力のバラツキが生じ、通常、フレッチングが生ずるが、これは、列車用軸受ユニットの正常な機能にとって有害である。
【００３５】
この点、最も脆弱な部域は、内輪手段５の内輪１２とバックアップ輪８の接触面により構成される。したがって、本発明によれば、重合体支持輪１９が、これら要素の間に配置される。前記重合体支持輪は、内輪１２およびバックアップ輪８の対向面にフレッチング腐蝕が生ずるのを防ぐ。
【００３６】
さらに、このような重合体輪５０は、内輪１３と圧力輪９の間にも取り付けてよい。この場合も、ラビリンスシール部５２が設けられ、これは、隣接ラビリンスシール部２１と共に、外輪手段６に接続されて、ラビリンスシール５４を形成する。
【００３７】
図２の拡大図においては、この重合体支持輪は、拡大尺度で示してある。
【００３８】
さらに、本発明による重合体支持輪１９は、追加の機能を果たしてよい。図２の実施例においては、重合体支持輪１９は、ラビリンスシール部２０を有し、これは、隣接ラビリンスシール部２１と共に、外輪手段６に接続されて、ラビリンスシール２２を形成する。
【００３９】
図３の実施例は、シール２３に対する別の実施例を示す。このシール２３は、重合体支持輪２４と一体化された第１のシール部２５、および外輪手段６に接続された第２のシール部２６を含む。シール部２５、２６は、Ｓ形の間隙を囲み、さらに、シール部２６は、封止作用の向上のため、シール部２５の平らな表面２９に向かって伸長するリップ２８を有している。
【００４０】
バックアップ輪８も、ラビリンス部３０を有し、これは、ラビリンス部３１と共に、ラビリンスシールを形成する。
【００４１】
図４の実施例は、シール３６を示し、これは、重合体バックアップ輪３２の脚３７の表面３５、外輪手段６に接続された封止輪３３、および可撓シール３４により構成されている。可撓シール３４は、脚３７の表面３５に係合し、それにより、外輪手段６と内輪手段５の間の軸受空間の完全な封止が得られる。
【００４２】
図５の実施例は、リブ３９を有する重合体バックアップ輪３８を含み、これは、内輪１２の端面におけるスリット４０に係合する。したがって、重合体支持輪は、内輪１２に確実に締め付けられる。
【００４３】
外輪６には、封止輪４１が取り付けられており、該封止輪４１は、外方に突出している隆起部４３を含むフィンガー４２を有しており、これは、外輪６の内部溝４４に係合する。
それにより、封止輪４１も、外輪手段６に確実に締め付けられる。
【００４４】
封止輪４１は、リブまたはフィンガー４６を有する内部空間４５に境界を設けるよう形成されている。この空間内では、ある量のグリースが存在してよい。
【００４５】
図６は、また別の実施例を示し、この場合は、重合体支持輪５０は、内輪１２と間隔輪１４の間に取り付けられている。前記間隔輪の他方の側（図示せず）では、同様の支持輪を、同様に配置してよい。
【００４６】
図７に示した実施例は、支持輪６０を含み、これは、半径方向の延長部６１を有し、その舌部６４は、くぼみ６２のアンダーカット溝部６３にスナップ嵌めされる。前記支持輪は、このようにして、内輪１２に接続される。
【００４７】
図８の実施例における支持輪８０は、バックアップ輪８に接続される。この目的で、支持輪８０は、半径方向の延長部８１を有し、これは、その舌部８４により、くぼみ８２のアンダーカット溝部８３にスナップ嵌めされる。
【００４８】
図９の実施例の支持輪８０は、バックアップ輪８に、後者の内周において、接続される。これもまた、半径方向の延長部７１の舌部７４を、くぼみ７２のアンダーカット溝部７３にスナップ嵌めして、成し遂げられる。
【００４９】
図１０の実施例では、バックアップ輪８および内輪１２は、支持輪９０を介して相互に接続されており、これは、二つの対向する半径方向延長部７１、９１を有している。結果として、軸受は、バックアップ輪および支持輪と共に、一体として取り扱うことができ、これは、保存、取扱い、および設置に関わる利点を有する。
【００５０】
図１１に示したように、内輪の半分１２と間隔輪１４の間の支持輪１００も、半径方向の延長部１０１により、接続可能である。
【国際公開パンフレット】
2004500518.tif 000003
2004500518.tif 000004
2004500518.tif 000005
2004500518.tif 000006
2004500518.tif 000007
2004500518.tif 000008
2004500518.tif 000009
2004500518.tif 000010
2004500518.tif 000011
2004500518.tif 000012
2004500518.tif 000013
2004500518.tif 000014
2004500518.tif 000015
2004500518.tif 000016
2004500518.tif 000017
2004500518.tif 000018
2004500518.tif 000019
【手続補正書】
【提出日】平成12年5月25日(2000.5.25)
【手続補正１】
【補正対象書類名】明細書
【補正対象項目名】特許請求の範囲
【補正方法】変更
【補正の内容】
【特許請求の範囲】
【請求項１】
内輪手段（５）および外輪手段（６）を有する転がり軸受（１）を含み、前記内輪手段（５）は、二つの対向する取付面の間の車軸スタブ（２）に嵌合されており、前記取付面の少なくとも一つと内輪手段（５）の間に、フレッチング腐蝕を防止するための手段が設けられている鉄道用車軸箱の軸受ユニットにおいて、前記少なくとも一つの取付面と内輪手段（５）は、別個のエンジニアリングピースを構成する非金属の重合体支持輪（１９、２４、３２、３８、５０、５１）により、互いに他に係合することを特徴とする鉄道用車軸箱の軸受ユニット。
【請求項２】
内輪手段（５）は、スタブ（２）の肩部（７）と前記スタブ（２）にボルト止めされるエンドブラケット（１０）の間に嵌合され、前記内輪手段（５）は、バックアップ輪（８）により、該肩部（７）に係合し、前記バックアップ輪（８）は、非金属の支持輪（１９、２４、３２、３８）により、内輪手段（３）に係合することとする請求項１に記載の鉄道用車軸箱の軸受ユニット。
【請求項３】
内輪手段（５）は、非金属の支持輪（５１）により、エンドブラケット（１０）に係合することとする請求項１または２に記載の鉄道用車軸箱の軸受ユニット。
【請求項４】
内輪手段（５）は、圧力輪（１０）により、エンドブラケット（１０）に係合し、前記圧力輪（９）は、非金属の支持輪（５１）により、内輪手段（５）に係合することとする上記の請求項のうちのいずれか一つに記載の鉄道用車軸箱の軸受ユニット。
【請求項５】
内輪手段（５）は、間隔輪（１４）を囲む二つの内輪（１２、１３）を含み、前記間隔輪（１４）は、非金属の支持輪（５０）により、内輪のうちの少なくとも一つに係合することとする上記の請求項のうちのいずれか一つに記載の鉄道用車軸箱の軸受ユニット。
【請求項６】
非金属の支持輪（１９、２４、３２、３８）は、ラビリンスリング部品（２０、２３）を含んで、外輪手段（６）に接続された別のラビリンスシール部品（２１、２６）とラビリンスシール（２２、２３）を形成することとする上記の請求項のうちのいずれか一つに記載の鉄道用車軸箱の軸受ユニット。
【請求項７】
支持輪（１９、２４、３２、３８）は、軸受の回転を検知するためのセンサー手段を含むこととする上記の請求項のうちのいずれか一つに記載の鉄道用車軸箱の軸受ユニット。
【請求項８】
支持輪は、グリース溜め（４５）の境界を定めることとする上記の請求項のうちのいずれか一つに記載の鉄道用車軸箱の軸受ユニット。
【請求項９】
支持輪（３８、６０、７０、９０）は、内輪手段（５）に接続されることとする上記の請求項のうちのいずれか一つに記載の鉄道用車軸箱の軸受ユニット。
【請求項１０】
支持輪（８０）は、バックアップ輪（８）に接続されることとする上記の請求項のうちのいずれか一つに記載の鉄道用車軸箱の軸受ユニット。
【請求項１１】
支持輪は、圧力輪（９）に接続されることとする上記の請求項のうちのいずれか一つに記載の鉄道用車軸箱の軸受ユニット。
【請求項１２】
支持輪は、間隔輪（１４）に接続されることとする上記の請求項のうちのいずれか一つに記載の鉄道用車軸箱の軸受ユニット。
【請求項１３】
支持輪（３８、６０、９０）は、軸方向の延長部（３９、６１、９１）を含み、これは、内輪（１２）のくぼみ（４０、６２、９２）に係合することとする上記の請求項のうちのいずれか一つに記載の鉄道用車軸箱の軸受ユニット。
【請求項１４】
支持輪（８０）は、半径方向の延長部（８１）を含み、これは、バックアップ輪（８）のくぼみ（８２）に係合することとする上記の請求項のうちのいずれか一つに記載の鉄道用車軸箱の軸受ユニット。
【請求項１５】
支持輪は、半径方向の延長部を含み、これは、圧力輪のくぼみに係合することとする上記の請求項のうちのいずれか一つに記載の鉄道用車軸箱の軸受ユニット。
【請求項１６】
くぼみ（６２、７２、８２、９２）は、アンダーカット溝（６３、７３、８３、９３）を含み、また、軸方向延長部（６１、７１、８１、９１）は、アンダーカット溝（６３、７３、８３、９３）にスナップ嵌めされる舌部（６４、７４、８４、９４）を含むこととする請求項１３、１４または１５に記載の鉄道用車軸箱の軸受ユニット。
【請求項１７】
支持輪（９０）は、二つの対向する軸方向延長部（７１、９１）を有しており、それらのうち一方は、内輪（１２）に係合し、また、それらのうち他方は、バックアップ輪（８）に係合することとする請求項１３乃至１６のうちのいずれか一つに記載の鉄道用車軸箱の軸受ユニット。
【請求項１８】
支持輪は、二つの対向する軸方向延長部を有しており、それらのうち一方は、内輪に係合し、また、それらのうち他方は、圧力輪に係合することとする請求項１３乃至１７のうちのいずれか一つに記載の鉄道用車軸箱の軸受ユニット。
【請求項１９】
少なくとも一つのくぼみ（６２、８２、９２）は、内輪（１２）、バックアップ輪（８）および圧力輪（９）上に有ることとする請求項１３乃至１８のうちのいずれか一つに記載の鉄道用車軸箱の軸受ユニット。
【請求項２０】
少なくとも一つのくぼみ（７２）は、内輪、バックアップ輪および圧力輪のうちの一つの外面上に有ることとする請求項１３乃至１９のうちのいずれか一つに記載の鉄道用車軸箱の軸受ユニット。
【請求項２１】
少なくとも一つのくぼみ（４０、６２、７２、８２、９２）は、内輪、バックアップ輪および圧力輪のうちの一つの全円周に亘って伸長していることとする請求項１３乃至２０のうちのいずれか一つに記載の鉄道用車軸箱の軸受ユニット。
【請求項２２】
少なくとも一つの軸方向延長部（３９、６１、７１、８１、９１）は、支持輪の円周方向に連続していることとする請求項２１に記載の鉄道用車軸箱の軸受ユニット。
【請求項２３】
重合体の支持輪（３８）は、遷移等の補強材を含むこととする上記の請求項のうちのいずれか一つに記載の鉄道用車軸箱の軸受ユニット。
【請求項２４】
補強材は、繊維材料の編成、製織あるいは不織層であることとする請求項２３に記載の鉄道用車軸箱の軸受ユニット。
【請求項２５】
繊維は、ガラス繊維を含むこととする請求項２３または２４に記載の鉄道用車軸箱の軸受ユニット。
【請求項２６】
支持輪は、重合体の材料を含むこととする上記の請求項のうちのいずれか一つに記載の鉄道用車軸箱の軸受ユニット。
【請求項２７】
支持輪は、樹脂材料を含むこととする上記の請求項のうちのいずれか一つに記載の鉄道用車軸箱の軸受ユニット。
【請求項２８】
軸受は、複列円錐ころ軸受であることとする上記の請求項のうちのいずれか一つに記載の鉄道用車軸箱の軸受ユニット。
【国際調査報告】
2004500518.tif 000020
2004500518.tif 000021
2004500518.tif 000022
2004500518.tif 000023